(57)【要約】      （修正有）【課題】ビルトイン式ガスコンロとガス供給管側との接続を、容易かつ迅速化できるとともに、安全性も十分に確保できるようにした接続構造を提供する。【解決手段】システムキッチンキャビネット１０にビルトインされるビルトイン式ガスコンロ１とガス供給管５０との接続構造に当たり、ビルトイン式ガスコンロ１側の接続口に迅速継手を構成するプラグ部３０またはソケット部４０のいずれか一方を取り付ける。ガス供給管５０の下流側には過流出安全機構付ガス栓Ｂを接続する。過流出安全機構付ガス栓Ｂの出側とビルトイン式ガスコンロ１の接続口とを、直接または可撓性のあるガス管７０を介して接続する。【選択図】図１
2016125793.tif 000002
【特許請求の範囲】
【請求項１】
システムキッチンキャビネットにビルトインされるビルトイン式ガスコンロとガス供給管との接続構造であって、
前記ビルトイン式ガスコンロはガス管との接続口として迅速継手を構成するプラグ部またはソケット部のいずれか一方を備えており、前記ガス供給管の下流側には過流出安全機構付ガス栓が接続しており、前記過流出安全機構付ガス栓の出側と前記接続口とが直接または可撓性のあるガス管を介して接続していることを特徴とするビルトイン式ガスコンロとガス供給管との接続構造。
【請求項２】
前記接続口は前記ビルトイン式ガスコンロの側面側に備えられていることを特徴とする請求項１に記載のビルトイン式ガスコンロとガス供給管との接続構造。
【請求項３】
前記接続口は迅速継手を構成するプラグ部で構成されており、前記過流出安全機構付ガス栓の出側は迅速継手を構成するソケット部を備えており、前記ビルトイン式ガスコンロと前記過流出安全機構付ガス栓は直接接続していることを特徴とする請求項１または２に記載のビルトイン式ガスコンロとガス供給管との接続構造。
【請求項４】
前記接続口は迅速継手を構成するソケット部で構成されており、前記過流出安全機構付ガス栓の出側は迅速継手を構成するプラグ部を備えており、前記ビルトイン式ガスコンロと前記過流出安全機構付ガス栓は直接接続していることを特徴とする請求項１または２に記載のビルトイン式ガスコンロとガス供給管との接続構造。
【請求項５】
前記過流出安全機構付ガス栓の出側は迅速継手を構成するプラグ部またはソケット部のいずれか一方を備えており、前記ビルトイン式ガスコンロと前記過流出安全機構付ガス栓は両端に迅速継手を構成するプラグ部またはソケット部のいずれかを備えた可撓性のあるガス管を介して接続していることを特徴とする請求項１または２に記載のビルトイン式ガスコンロとガス供給管との接続構造。
【発明の詳細な説明】
【技術分野】
【０００１】
本発明は、システムキッチンキャビネットにビルトインされているビルトイン式ガスコンロとガス供給管との接続構造に関する。
【背景技術】
【０００２】
システムキッチンキャビネットにガスコンロをビルトインすることが行われている。システムキッチンのキャビネット内空間を有効利用することを目的として、ビルトインしたガスコンロ（以下、ビルトイン式ガスコンロという）と建物側に配設されたガス供給管との接続構造も提案されており、特許文献１には、ビルトイン式ガスコンロの背面側に機器接続管とのねじ式の接続口を設け、該接続口に接続した機器接続管を、建物壁面とキャビネットの背面パネルとの間の空間内を通過させるようにものが記載されている。この構造とすることで、キャビネット内空間には接続口や機器接続管などが位置しないこととなり、キャビネット内の有効容積を大きくとることができる。
【０００３】
ビルトイン式ガスコンロとガス供給管との接続を、迅速継手を介して行うようにしたビルトイン式ガスコンロも提案されており、特許文献２に記載のビルトイン式ガスコンロでは、ビルトイン式ガスコンロの導入口金（接続口）の先端部に迅速継手の一部をなすプラグ部を設けるとともに、ガス栓の栓本体の下流側端部に、前記プラグ部に挿脱可能な迅速継手の一部をなすソケット部を設けたものが記載されている。
【０００４】
さらに、ガス栓として過流出安全機構付ガス栓も提案されており、特許文献３には、その一例として、ヒューズ機構を備えたガス栓が記載されている。
【先行技術文献】
【特許文献】
【０００５】
【特許文献１】特開２０１４−１７６４３７号公報
【特許文献２】特開２００８−１６４２７０号公報
【特許文献３】特開２０１２−１１２５０２号公報
【発明の開示】
【発明が解決しようとする課題】
【０００６】
特許文献１に記載されるビルトイン式ガスコンロの配管接続構造を採用することによりシステムキッチンキャビネットにおける物品収容空間を広くとることができる。しかし、ビルトイン式ガスコンロと機器接続管は、ビルトイン式ガスコンロの背面側に設けたねじ式の接続口を介する接続であり、ねじ式接続による場合、接続作業が困難になるのを避けられない。特許文献２に記載のように、ビルトイン式ガスコンロと機器接続管との接続に迅速継手を用いることにより、ビルトイン式ガスコンロの背面側での接続作業を容易かつ迅速化できることが期待される。しかし、従来のねじ式接続に比較して、迅速継手による接続は、予期しない外力の作用によって係合が外れる可能性があり、それを回避するために、特許文献２に記載のビルトイン式ガスコンロでは、迅速継手の操作筒を接続位置から解放位置側へ不測に移動するのを阻止するためのストッパ部材を設けるようにしており、迅速継手側の構造が複雑となるのを避けられない。
【０００７】
本発明は、上記のような事情に鑑みてなされたものであり、ビルトイン式ガスコンロとガス供給管側との接続に、迅速継手を用いることで接続の容易化と迅速化を可能にしながら、万が一、迅速継手に予期しない係合外れが起こるような場合でも、ガスが外部に漏れ出るのを最小限に抑えることが可能であり、そのために通常用いられている迅速継手をそのまま用いる場合であっても、安全性を十分に確保できるようにした、ビルトイン式ガスコンロとガス供給管との接続構造を開示することを課題とする。
【課題を解決するための手段】
【０００８】
上記の課題を解決するための本発明によるビルトイン式ガスコンロとガス供給管との接続構造は、システムキッチンキャビネットにビルトインされるビルトイン式ガスコンロとガス供給管との接続構造であって、前記ビルトイン式ガスコンロはガス管との接続口として迅速継手を構成するプラグ部またはソケット部のいずれか一方を備えており、前記ガス供給管の下流側には過流出安全機構付ガス栓が接続しており、前記過流出安全機構付ガス栓の出側と前記接続口とが直接または可撓性のあるガス管を介して接続していることを特徴とする。
【０００９】
本発明において、ビルトイン式ガスコンロにおける前記接続口の配置位置は任意であるが、好ましい一態様では、前記接続口は前記ビルトイン式ガスコンロの側面側に備えられていることを特徴とする。ここで、側面側とは、ビルトイン式ガスコンロの背面および左右の側面の双方を意味している。
【００１０】
本発明によるビルトイン式ガスコンロとガス供給管との接続構造の一つの具体的態様では、前記接続口は迅速継手を構成するプラグ部で構成されており、前記過流出安全機構付ガス栓の出側は迅速継手を構成するソケット部を備えており、前記ビルトイン式ガスコンロと前記過流出安全機構付ガス栓は直接接続していることを特徴とする。
【００１１】
本発明によるビルトイン式ガスコンロとガス供給管との接続構造の他の具体的態様では、前記接続口は迅速継手を構成するソケット部で構成されており、前記過流出安全機構付ガス栓の出側は迅速継手を構成するプラグ部を備えており、前記ビルトイン式ガスコンロと前記過流出安全機構付ガス栓は直接接続していることを特徴とする。
【００１２】
本発明によるビルトイン式ガスコンロとガス供給管との接続構造のさらに他の具体的態様では、前記接続口は迅速継手を構成するプラグ部またはソケット部のいずれか一方で構成されており、前記過流出安全機構付ガス栓の出側は迅速継手を構成するプラグ部またはソケット部のいずれか一方を備えており、前記ビルトイン式ガスコンロと前記過流出安全機構付ガス栓は両端に迅速継手を構成するプラグ部またはソケット部のいずれかを備えた可撓性のあるガス管を介して接続していることを特徴とする。
【００１３】
なお、本発明において、ビルトイン式ガスコンロの前記接続口と前記過流出安全機構付ガス栓の出側とを可撓性のあるガス管を介して接続する態様において、前記可撓性のあるガス管の出側と前記接続口との接続は、上記した迅速継手形態の接続とされるが、可撓性のあるガス管の入側と前記過流出安全機構付ガス栓の出側との接続は、作業性の観点から迅速継手形態の接続であることが好ましいが、基本的には任意であってよい。
【００１４】
また、本発明において、「迅速継手」とは、プラグ部と該プラグ部が内嵌合するソケット部とを備えてワンタッチで係合および離脱が可能な継手一般を意味するものとして用いており、従来知られた迅速継手のすべてが含まれる。一例として、限定されないが、特開２００８−１６４２７０号公報などに記載される形態の迅速継手が挙げられる。さらに、迅速継手を構成するプラグ部には、「スリムプラグ」あるいは「ホースエンド」と通称されているものも含まれる。その場合において、過流出安全機構付ガス栓の出側をビルトイン式ガスコンロに直接接続する場合には、過流出安全機構付ガス栓の出側には、「スリムプラグ」あるいは「ホースエンド」にワンタッチで係脱できる形状のソケット部が備えられる。また、過流出安全機構付ガス栓の出側を可撓性のあるガス管を介してビルトイン式ガスコンロに接続する場合には、該可撓性のあるガス管の少なくともガスコンロとの接続側端部には、「スリムプラグ」あるいは「ホースエンド」にワンタッチで係脱できる形状のソケット部が備えられる。過流出安全機構付ガス栓の出側も「スリムプラグ」あるいは「ホースエンド」の場合には、両端に「スリムプラグ」あるいは「ホースエンド」にワンタッチで係脱できる形状のソケット部を備えた可撓性のあるガス管が用いられる。
【００１５】
また、本発明において、「過流出安全機構付ガス栓」とは、所定量以上のガスが流れたときに流路を閉鎖する手段を備えたガス栓一般を意味するものとして用いており、前記機能を備えた従来知られたガス栓のすべてが含まれる。一例として、限定されないが、特開２０１２−１１２５０２号公報などに記載される形態の過流出安全機構付ガス栓が挙げられる。
【００１６】
また、本発明において、前記過流出安全機構付ガス栓の入側と前記ガス供給管との接続態様は任意であり、特に制限はない。直接接続でもよく、適宜の可撓性のあるガス管を介しての接続であってもよい。後者の場合には、当然に、過流出安全機構付ガス栓の入側の形状とガス供給管側の出側の形状とに対応した接続口を備えた可撓性のあるガス管が用いられる。そこには、ねじ式接続が含まれていてもよく、ワンタッチで係合および離脱が可能な迅速継手による接続が含まれていてもよい。
【発明の効果】
【００１７】
本発明によるビルトイン式ガスコンロとガス供給管との接続構造では、ビルトイン式ガスコンロとガス供給管側との接続に迅速継手を用いており、その接続作業を容易にかつ迅速に行うことができる。さらに、ガス供給管の下流側には過流出安全機構付ガス栓が接続しており、前記過流出安全機構付ガス栓を介してガス供給管はビルトイン式ガスコンロと接続しているので、万が一、迅速継手に予期しない係合外れが起こった場合でも、ガスの流れは前記過流出安全機構付ガス栓の作用によって迅速に遮断される。それにより、ガスが外部に漏洩するのを確実に阻止することができる。すなわち、本発明によれば、接続の容易かつ迅速性と安全性の確保の双方を満足する接続構造が得られる。
【００１８】
本発明によるビルトイン式ガスコンロとガス供給管との接続構造において、ガス管との接続口をビルトイン式ガスコンロの側面側に配置した態様では、ビルトイン式ガスコンロの底面から下方に向け接続口を突出した構成を備えたものと比較して、システムキッチンキャビネットの有効物品収容空間を広くとることができる。その場合でも、ビルトイン式ガスコンロとガス供給管側との接続には迅速継手を用いており、接続部がビルトイン式ガスコンロの側面側の限られた狭い空間内にありながら、その接続作業を容易にかつ迅速に行うことができる。
【図面の簡単な説明】
【００１９】
【図１】本発明による接続構造を備えたシステムキッチンキャビネットの概略側面図。
【図２】システムキッチンキャビネットにビルトインされたビルトイン式ガスコンロを底面側から見た第１の図。
【図３】システムキッチンキャビネットにビルトインされたビルトイン式ガスコンロを底面側から見た第２の図。
【図４】迅速継手の一例を示す断面図。
【図５】過流出安全機構付ガス栓の一例であるヒューズ式ガス栓を示す概略断面図。
【図６】両端に迅速継手を構成するソケット部を備えたガス管を説明するための図。
【発明を実施するための形態】
【００２０】
以下、図面を参照しながら、本発明の実施の形態を説明する。図１は、本発明による接続構造を備えたシステムキッチンキャビネット１０の概略側面図であり、ビルトイン式ガスコンロ１がシステムキッチンキャビネット１０にビルトインされている。
【００２１】
通常、システムキッチンキャビネット１０は、その背面パネル１１と建物壁２０との間に一定の隙間Ｓを保持した状態で建物の床２１の上に設置される。システムキッチンキャビネット１０はトッププレート１２を備え、トッププレート１２の開口部１３の上から、ビルトイン式ガスコンロ１を落とし込み、その上端部２をトッププレート１２に担持させた状態で固定する。システムキッチンキャビネット１０におけるビルトイン式ガスコンロ１より下方の空間は物品収容用の空間１４として利用され、引出１５や開閉扉が取り付けられる。
【００２２】
図２および図３は、システムキッチンキャビネット１０にビルトインされたビルトイン式ガスコンロ１を底面側から見た図であり、底面３と背面４と左右の側面５、５を備えるとともに、前面側には操作つまみ等（不図示）が配置されている。なお、本明細書では、前記背面４と左右の側面５、５とを総称して「側面」といっている。
【００２３】
ビルトイン式ガスコンロ１の背面４には、ガス管との接続口が備えられており、図２に示すものでは接続口として迅速継手Ａを構成するプラグ部３０が、図３に示すものでは接続口として迅速継手Ａを構成するソケット部４０が、取り付けられている。なお、ここで迅速継手とは、前記したように、プラグ部３０と該プラグ部３０が内嵌合するソケット部４０とを備えていて、操作具を移動させることでワンタッチでプラグ部３０とソケット部４０の係合および離脱が可能な継手一般を総称している。
【００２４】
図４を参照して、迅速継手Ａの一例を説明するが、迅速継手Ａはこれに限らないことは前記したとおりである。図示の例において、迅速継手Ａはプラグ部３０とソケット部４０からなる。プラグ部３０は円筒状をなしており、その外周面には環状の係合凹部３１が形成されている。ソケット部４０は、プラグ部３０の外径とほぼ同一の内径である嵌合筒部４１を有しており、プラグ部３０は嵌合筒部４１の内周面に係脱可能に内嵌合する。嵌合筒部４１には、その周壁部を径方向に貫通する複数の貫通孔４２が形成されており、貫通孔４２には、球体４３が径方向に移動可能に挿入されている。
【００２５】
プラグ部３０を嵌合筒部４１に内嵌合した状態で、貫通孔４２が前記係合凹部３１の位置に達すると、球体４３の一部が係合凹部３１に入り込む。それにより、嵌合筒部４１はプラグ部３０に球体４３を介して迅速に係止された状態となり、両者は軸線方向へ移動することができなくなる。係合を外すには、嵌合筒部４１の外周に軸方向に移動可能に嵌合されている操作筒４４を、図で右方向に移動する。それにより、操作筒４４の大径部４５が球体４３の位置に到達し、球体４３は径方向外側に移動可能となる。その状態で、両者を離間する方向に軸線方向へ引っ張ることにより、両者は容易に離脱する。
【００２６】
本発明において、ビルトイン式ガスコンロ１は、ガス管との接続口として、図２に示すように、上記した迅速継手Ａのプラグ部３０を備えるか、または、図３に示すように、迅速継手Ａのソケット部４０を備える。
【００２７】
図１において、５０は、建物側に配設されたガス供給管であり、ガス供給管５０の下流側先端には過流出安全機構付ガス栓Ｂが接続している。過流出安全機構付ガス栓Ｂとは、前記したように、所定量以上のガスが流れたときにガス流路を閉鎖する手段を備えたガス栓であり、その一例が図５に示される。過流出安全機構付ガス栓Ｂは、ガス栓本体６０内を走るガス流路６１と、ガス流路６１を開閉することのできる栓体６２と、該栓体６２を回動するための摘み６３を備えており、さらに、ガス流路６１の栓体６２より上流側には、過流出安全機構として機能するヒューズ６４が備えられている。ヒューズ６４は、シリンダー６５内に備えられたヒューズボール６６を有し、通常のガス使用量においては、図５に示されるように、ヒューズボール６６は自重で下降位置にあり、ガス流路６１を閉鎖することはない。下流側のガス配管が不測に外れたような場合に、ガス流量は急速に増加する。そのガス圧によって、ヒューズボール６６は上昇してシリンダー６５のガス出口側を閉鎖する。それにより、ガスの漏洩は阻止される。なお、図示の過流出安全機構付ガス栓Ｂは、過流出安全機構付ガス栓の一例にすぎず、他に多くの種類と形態の過流出安全機構付ガス栓が存在する。
【００２８】
また、図５に示す過流出安全機構付ガス栓Ｂにおいて、ガスの出側６７は、プラグ形状をなしているが、ソケット形状であってもよい。ガスの出側６７がプラグ形状の場合に、上記した迅速継手Ａを構成するプラグ部３０であることが望ましく、また、ガスの出側６７がソケット形状の場合に、上記した迅速継手Ａを構成するソケット部４０であることが望ましい。
【００２９】
図１に示すように、建物側に配設されたガス供給管５０とその下流側先端に接続した過流出安全機構付ガス栓Ｂは、システムキッチンキャビネット１０の背面パネル１１と建物壁２０との間の隙間Ｓ内に配設され、過流出安全機構付ガス栓Ｂは背面パネル１１の形成した開口部１６の位置に取り付けられる。なお、過流出安全機構付ガス栓Ｂの設置位置はこれに限らず任意である。
【００３０】
そして実際の施工にあたって、過流出安全機構付ガス栓Ｂの出側６７とビルトイン式ガスコンロ１の背面に取り付けた接続口（プラグ部３０またはソケット部４０）とが、直接に、または可撓性のあるガス管を用いて間接的に接続される。以下、その接続態様の幾つかの具体例を説明する。
【００３１】
［接続態様１］
ビルトイン式ガスコンロ１の背面に取り付けられた接続口が、図２に示すように迅速継手Ａのプラグ部３０であり、過流出安全機構付ガス栓Ｂの出側６７が迅速継手Ａのプラグ部３０の場合：この態様では、図１に示すように、可撓性のあるガス管７０を用いて接続する。可撓性のあるガス管７０の一例が図６に示される。可撓性のあるガス管７０は、好ましくは、例えば通称フレキ管と呼ばれるガス管の両端にソケット７１ａ、７１ｂを備えたものであり、一方のソケット７１ａはビルトイン式ガスコンロ１の背面に取り付けた迅速継手Ａのプラグ部３０と対をなす迅速継手Ａのソケット部４０であり、他方のソケット７１ｂは過流出安全機構付ガス栓Ｂの出側６７に取り付けた迅速継手Ａのプラグ部３０と対をなす迅速継手Ａのソケット部４０である。
【００３２】
なお、ビルトイン式ガスコンロ側の迅速継手と過流出安全機構付ガス栓側の迅速継手が異なるものであってもよい。その場合には、それぞれのプラグ部と対をなす迅速継手のソケット部を可撓性のあるガス管の両端に取り付ける。
【００３３】
図示しないが、ビルトイン式ガスコンロ１の背面に取り付けた接続口は、「スリムプラグ」あるいは「ホースエンド」と通称されているプラグ部であってもよい。その場合には、可撓性のあるガス管７０のビルトイン式ガスコンロ１との接続側のソケット部７１ａには、「スリムプラグ」あるいは「ホースエンド」にワンタッチで係脱できる形状のソケット部が備えられる。
【００３４】
また、過流出安全機構付ガス栓の出側６７が、「スリムプラグ」あるいは「ホースエンド」と通称されているプラグ部であってもよい。その場合には、可撓性のあるガス管７０の過流出安全機構付ガス栓の出側６７との接続側のソケット部７１ｂには、「スリムプラグ」あるいは「ホースエンド」にワンタッチで係脱できる形状のソケット部が備えられる。
【００３５】
［接続態様２］
図示しないが、ビルトイン式ガスコンロ１の背面に取り付けた接続口が図２に示すように迅速継手Ａのプラグ部３０であり、過流出安全機構付ガス栓Ｂの出側６７が迅速継手Ａのソケット部４０の場合：この態様では、図１に示す可撓性のあるガス管７０を用いることなく、ビルトイン式ガスコンロ１の背面に取り付けた接続口に過流出安全機構付ガス栓Ｂの出側６７を直接接続する。
【００３６】
［接続態様３］
図示しないが、ビルトイン式ガスコンロ１の背面に取り付けた接続口が図３に示すように迅速継手Ａのソケット部４０であり、過流出安全機構付ガス栓Ｂの出側６７が迅速継手Ａのプラグ部３０の場合：この態様でも、図１に示す可撓性のあるガス管７０を用いることなく、ビルトイン式ガスコンロ１の背面に取り付けた接続口に過流出安全機構付ガス栓Ｂの出側６７を直接接続する。
【００３７】
［接続態様４］
図示しないが、ビルトイン式ガスコンロ１の背面に取り付けた接続口が図３に示すように迅速継手Ａのソケット部４０であり、過流出安全機構付ガス栓Ｂの出側６７が迅速継手Ａのソケット部４０の場合：この態様では、可撓性のあるガス管７０を用いて接続する。ただし、用いる可撓性のあるガス管７０は、一方のプラグ部はビルトイン式ガスコンロ１の背面に取り付けた迅速継手Ａのソケット部４０と対をなす迅速継手Ａのプラグ部３０であり、他方のプラグ部は過流出安全機構付ガス栓Ｂの出側６７に取り付けた迅速継手Ａのソケット部４０と対をなす迅速継手Ａのプラグ部３０である可撓性のあるガス管である。
【００３８】
なお、この態様でも、ビルトイン式ガスコンロ側の迅速継手と過流出安全機構付ガス栓側の迅速継手が異なるものであってもよく、その場合には、それぞれのソケット部と対をなす迅速継手のプラグ部を可撓性のあるガス管に用いるようにする。
【００３９】
［接続態様５］
図示しないが、ビルトイン式ガスコンロ１の背面に取り付けた接続口が図２または図３に示す迅速継手Ａのプラグ部３０またはソケット部４０であり、過流出安全機構付ガス栓Ｂの出側６７が前記プラグ部３０またはソケット部４０に対応する形態のソケット部４０またはプラグ部３０でない場合：この態様では、可撓性のあるガス管を用いて接続する。ただし、用いる可撓性のあるガス管は、一方の端部には、ビルトイン式ガスコンロ１の背面に取り付けた迅速継手Ａのプラグ部３０またはソケット部４０に対応する、迅速継手Ａのソケット部４０またはプラグ部３０を備え、他方の端部には、過流出安全機構付ガス栓Ｂの出側６７のプラグ部またはソケット部の形態に対応したソケット部またはプラグ部を備えた可撓性のあるガス管を用いる。
【００４０】
［接続態様６］
図示しないが、ビルトイン式ガスコンロ１の背面に取り付けた接続口が図２または図３に示す迅速継手Ａのプラグ部３０またはソケット部４０であり、過流出安全機構付ガス栓Ｂの出側６７が迅速継手を構成しない接続口：この態様では、可撓性のあるガス管を用いて接続する。ただし、用いる可撓性のあるガス管は、一方の端部には、ビルトイン式ガスコンロ１の背面に取り付けた迅速継手Ａのプラグ部３０またはソケット部４０に対応する、迅速継手Ａのソケット部４０またはプラグ部３０を備え、他方の端部には、過流出安全機構付ガス栓Ｂの出側６７の接続口の形態に対応した接続部を備えた可撓性のあるガス管を用いる。
【００４１】
なお、前記したように、本発明において、過流出安全機構付ガス栓Ｂの入側とガス供給管５０との接続態様は任意であり、特に制限はなく、直接接続であってもよい。作業性の観点から、通常は、適宜の可撓性のあるガス管を介して接続される。その場合、可撓性のあるガス管には、過流出安全機構付ガス栓Ｂの入側の形状とガス供給管５０側の出側の形状とに対応した接続口を両端に備えた可撓性のあるガス管７０が用いられる。接続は、ねじ式接続であってもよく、ワンタッチで係合および離脱が可能な迅速継手による接続であってもよい。
【００４２】
上記のように、本発明による接続構造では、ビルトイン式ガスコンロ１とガス供給管５０側との接続に迅速継手Ａを用いており、その接続箇所の如何を問わず、接続作業を容易かつ迅速化することができる。また、ビルトイン式ガスコンロ１とガス供給管５０は、直接ではなく、過流出安全機構付ガス栓Ｂを介して接続しているので、万が一、迅速継手Ａの係合が予期せずに外れたような場合でも、過流出安全機構付ガス栓Ｂの作用によりガスの漏洩を迅速に停止することが可能であり、高い安全性も確保される。
【符号の説明】
【００４３】
Ａ…迅速継手、
３０…プラグ部、
４０…ソケット部、
Ｂ…過流出安全機構付ガス栓、
６４…ヒューズ、
６６…ヒューズボール、
６７…ガスの出側、
１…ビルトイン式ガスコンロ、
１０…システムキッチンキャビネット、
２０…建物壁、
２１…建物の床、
５０…建物側に配設されたガス供給管、
７０…可撓性のあるガス管、
７１ａ、７１ｂ…可撓性のあるガス管の両端に取り付けたソケット。
【図１】
2016125793.tif 000003
【図２】
2016125793.tif 000004
【図３】
2016125793.tif 000005
【図４】
2016125793.tif 000006
【図５】
2016125793.tif 000007
【図６】
2016125793.tif 000008